(57)【要約】【課題】内コンベヤベルト用のモータと外コンベヤベルト用の独立した別個のモータ２機を備えた構成であると、これら両モータが非同期となることで、（インバータ）トリップが発生し、垂直コンベヤが停止するという課題を解消する。【解決手段】外コンベヤベルト６と内コンベヤベルト５とを密着させる密着部７を備え、外コンベヤベルト６を駆動する駆動部Ｍにより全体の搬送駆動を行うように構成した。【効果】内コンベヤベルト５は、垂直部１Ｃで伸縮する外コンベヤベルト６の非同期要因の悪影響を受けることなく搬送駆動させることが可能となり、垂直コンベヤ１全体の（インバータ）トリップに起因した停止を回避できる。【選択図】図１
2020200165.tif 000002
【特許請求の範囲】
【請求項１】
下部位置で水平に搬送する下部水平部と、上部位置で水平に搬送する上部水平部と、これら下部水平部と上部水平部との間で垂直に搬送する垂直部と、を連続した経路として形成した内コンベヤベルトと、この内コンベヤベルトの垂直部を中心とした下部水平部と上部水平部のそれぞれの端部を往復経路として形成すると共に該内コンベヤベルトの搬送面と前記垂直部で接触する外コンベヤベルトと、前記外コンベヤベルトと前記内コンベヤベルトとを密着させる密着部とを備え、前記外コンベヤベルトを駆動する駆動部により全体の搬送駆動を行うように構成したことを特徴とする垂直コンベヤ。
【請求項２】
前記密着部は、前記内コンベヤベルトにおける前記垂直部と前記上部水平部との転換位置に設けられると共に該内コンベヤベルトと該外コンベヤベルトにテンションを付与する構成であることを特徴とする請求項１記載の垂直コンベヤ。
【請求項３】
前記密着部には応力検出手段を有し、この応力検知手段に基づいて密着程度を制御することを特徴とする請求項２記載の垂直コンベヤ。
【請求項４】
前記内コンベヤベルトの下部水平部の復路と往路の反転位置直前の該復路に、下方へ略垂直状に屈曲した垂直搬送部を形成し、前記垂直部の下方位置から前記垂直搬送部手前まで搬送する回収水平部と、前記垂直搬送部に沿って前記水平部の往路まで搬送する回収垂直部とを連続した経路とした回収コンベヤベルトを設け、前記回収コンベヤの前記回収垂直部と復路と往路の反転位置の前記内コンベヤベルトとを当接させ、前記外コンベヤベルトを駆動する駆動部によって駆動される前記内コンベヤベルトにより前記回収コンベヤベルトを駆動することを特徴とする請求項１〜３のいずれかに記載の垂直コンベヤ。
【請求項５】
前記回収コンベヤベルトの回収水平部において、前記内コンベヤベルトの幅両端から上端の各々がはみ出すように該上端同士が離間し、かつ下端の各々が前記内コンベヤベルトの幅寸法内に収まるように該下端同士が幅中央方向に接近するよう傾斜状に配置された対をなす回収板を設けたことを特徴とする請求項４記載の垂直コンベヤ。
【請求項６】
前記回収板を設けることに代えて、該回収コンベヤベルトを、前記内コンベヤベルトの幅より幅を広くし、かつ前記回収水平部では幅両端から各々幅中央に向かって下方に傾斜させていることを特徴とする請求項５記載の垂直コンベヤ。
【請求項７】
前記搬送経路の一部に、搬送面及び接触面を清掃するための清掃機構を設けたことを特徴とする請求項１〜６のいずれかに記載の垂直コンベヤ。
【発明の詳細な説明】
【技術分野】
【０００１】
本発明は、（インバータ）トリップが発生して全体が停止することのない垂直コンベヤに関するものである。
【背景技術】
【０００２】
土木工事、トンネル工事（シールド工法、山岳工事法等）特にシールド工事は、シールド機械を使用して効率よく地盤を掘削してトンネルを築造でき、地上に与える影響の少ない優れた工法として多く採用されている。
【０００３】
シールド機械が掘削した土砂は鋼車やベルトコンベヤを用いてトンネルの中を通って坑内から立坑の下まで搬送される。さらに、立坑の下から地上までは鋼車やバケットとクレーンの組み合わせにより地上まで運搬する方法、スキップにより運搬する方法、バケット式のエレベータにより運搬する方法など多くの手法が使用されてきた。
【０００４】
しかし、上記の手法では、土砂の運搬能力には一定の限界があり、立坑の大深度化やシールドトンネルの大断面化が進むにつれて、必要となる土砂運搬に求められる運搬能力の大容量化には対応できなくなってきた。
【０００５】
そこで、例えば特開２０１２−１４４３４０号公報（特許文献１）、特開２０１７−２１９２８１号公報（特許文献２）に示されるように、２種類のベルトを用い、このベルトの間に土砂を挟み込みながら連続的に運搬することができる垂直コンベヤが開発され、各種土木工事に採用されるようになった。
【０００６】
この種の垂直コンベヤの２種類のベルトのうちの１種類は、下部位置で水平に搬送する下部水平部と、上部位置で水平に搬送する上部水平部と、これら下部水平部と上部水平部との間で垂直に搬送する垂直部とを連続した経路として形成した内コンベヤベルトであり、もう１種類は、前記内コンベヤベルトの垂直部を中心とした下部水平部と上部水平部の一部の端部位置を往復経路として該内コンベヤベルトの搬送面に沿って架設した外コンベヤベルト、である。
【０００７】
外コンベヤベルトの表面には該外コンベヤベルトの搬送面と直交する面で形成される区画が設けられており、内コンベヤベルトは外コンベヤベルトに密着して前記区画において該外コンベヤベルト側と反対の開放面を覆って蓋をするように垂直部を移動する。
【０００８】
すなわち、下部水平部において内コンベヤベルト上に集められた土砂は、垂直部に至る際に、外コンベヤベルトと接触して区画に収納されると共に内コンベヤベルトで蓋をされた状態で搬送され、上部水平部において内コンベヤベルトと外コンベヤベルトが分離して外コンベヤベルトの区画から内コンベヤベルト上に再び戻されて所定の排出箇所まで搬送される。
【０００９】
従来、上記特許文献１，２を含むこの種の垂直コンベヤは、内コンベヤベルトが該内コンベヤベルト用のモータで搬送駆動され、外コンベヤベルトも同様に該外コンベヤベルト用のモータで搬送駆動される構成である。
【００１０】
しかしながら、従来の垂直コンベヤは、内コンベヤベルト用のモータと外コンベヤベルト用のモータとをほぼ同速度となるように制御はするものの、外コンベヤベルトは垂直部で区画内に収納した土砂の量によって、区画毎で（垂直）搬送方向に伸び縮みが生じ、この伸び縮みが該外コンベヤベルトと密着した内コンベヤベルトに作用して非同期要因となり、結果、内コンベヤベルトを駆動するモータにおいて（インバータ）トリップを発生させ、垂直コンベヤ全体が停止するという事態が生じていた。
【先行技術文献】
【特許文献】
【００１１】
【特許文献１】特開２０１２−１４４３４０号公報
【特許文献２】特開２０１７−２１９２８１号公報
【発明の概要】
【発明が解決しようとする課題】
【００１２】
本発明が解決しようとする問題は、従来は、内コンベヤベルト用のモータと外コンベヤベルト用の独立した別個のモータ２機を備えた構成であったため、これら両モータが非同期となることで、（インバータ）トリップが発生し、垂直コンベヤが停止する点である。
【課題を解決するための手段】
【００１３】
上記課題を解決するために、本発明は、下部位置で水平に搬送する下部水平部と、上部位置で水平に搬送する上部水平部と、これら下部水平部と上部水平部との間で垂直に搬送する垂直部と、を連続した経路として形成した内コンベヤベルトと、この内コンベヤベルトの垂直部を中心とした下部水平部と上部水平部のそれぞれの端部を往復経路として形成すると共に該内コンベヤベルトの搬送面と前記垂直部で接触する外コンベヤベルトと、前記外コンベヤベルトと前記内コンベヤベルトとを密着させる密着部とを備え、前記外コンベヤベルトを駆動する駆動部により全体の搬送駆動を行うように構成することとした。
【発明の効果】
【００１４】
本発明によれば、外コンベヤベルトと内コンベヤベルトを密着させて、該外コンベヤベルトを駆動する駆動部により、外コンベヤベルトの搬送駆動に伴ってこれに密着した内コンベヤベルトも搬送駆動されることとなる。したがって、本発明は非同期になりがちな内コンベヤベルトの駆動部が存在せず、つまり内コンベヤベルトと外コンベヤベルトの駆動部の「非同期」という事態が生じないので、（インバータ）トリップに起因した垂直コンベヤの停止が発生しない。
【図面の簡単な説明】
【００１５】
【図１】本発明の垂直コンベヤの概略構成を示す図である。
【図２】本発明の垂直コンベヤにおける密着部の概略構成図である。
【図３】本発明の垂直コンベヤにおける回収コンベヤベルトの搬送経路を説明するための図である。
【図４】本発明の垂直コンベヤにおける回収コンベヤベルトによる土砂回収の構成を説明するための図である。
【図５】本発明の垂直コンベヤにおける回収コンベヤベルトによる土砂回収の他の構成を説明するための図である。
【図６】本発明の垂直コンベヤにおける清掃機構に関する構成を説明するための図である。
【図７】本発明の垂直コンベヤにおける清掃機構に関する構成を説明するための図である。
【発明を実施するための形態】
【００１６】
本発明は、内コンベヤベルト用のモータと外コンベヤベルト用の両モータが非同期となることで、（インバータ）トリップが発生し、垂直コンベヤが停止するという問題を、外コンベヤベルトと内コンベヤベルトとを密着させる密着部を備え、外コンベヤベルトを駆動する駆動部により全体の搬送駆動を行うように構成することで解消した。
【００１７】
本発明は、内コンベヤベルト用と外コンベヤベルト用の各々存在していた駆動部を単純に１機に減らしたというだけではなく、物理的に駆動源を失った内コンベヤベルトを搬送駆動させるために密着部を設けている。こうすることで、内コンベヤベルトは、垂直部で伸縮する外コンベヤベルトの非同期要因の悪影響を受けることなく搬送駆動させることが可能となり、垂直コンベヤ全体の（インバータ）トリップに起因した停止を回避することができる。
【００１８】
また、本発明は、駆動部が外コンベヤベルトと内コンベヤベルトとを搬送駆動する関係で、該駆動部として出力の大きなものを選択することとなるが、外コンベヤベルト用と内コンベヤベルト用の駆動部を別個に設ける構成と較べて消費電力を低減させることができ、そのうえ設備構築コストも低廉化ができる。
【００１９】
また、本発明は、上記構成において、前記密着部が、前記内コンベヤベルトにおける前記垂直部と前記上部水平部との転換位置に設けられると共に該内コンベヤベルトと該外コンベヤベルトにテンションを付与する構成としてもよい。垂直部と上部水平部との転換位置は、そもそも経路屈曲に伴って密着度が高い部位であるが、ここに密着部を設けることで内コンベヤベルトと外コンベヤベルトの密着度が向上し、外コンベヤベルトの搬送駆動に伴って内コンベヤを確実に駆動させることができるようになる。
【００２０】
さらに、本発明は、上記構成において、前記密着部に応力検出手段を有し、この応力検出手段に基づいて密着程度を制御する構成としてもよい。こうすることにより、内コンベヤベルトと外コンベヤベルトの密着度合が把握でき、例えば密着度合が低く、内コンベヤベルトと外コンベヤベルトの相互のスリップが生じるような場合は、互いを密着させるよう密着部を制御することができる。
【００２１】
また、本発明は、上記構成において、前記内コンベヤベルトの下部水平部の復路と往路の反転位置直前の該復路に、下方へ略垂直状に屈曲した垂直搬送部を形成し、前記垂直部の下方位置から前記垂直搬送部手前まで搬送する回収水平部と、前記垂直搬送部に沿って前記水平部の往路まで搬送する回収垂直部とを連続した経路とした回収コンベヤベルトを設け、前記回収コンベヤの前記回収垂直部と復路と往路の反転位置の前記内コンベヤベルトとを当接させ、前記外コンベヤベルトを駆動する駆動部によって駆動される前記内コンベヤベルトにより前記回収コンベヤベルトを駆動する構成としてもよい。
【００２２】
上記構成によれば、回収コンベヤベルトを駆動する駆動部を省略し、回収コンベヤベルトも内コンベヤベルトも、外コンベヤベルトの駆動部によって駆動することができるから、上記同様の作用効果を得ることができる。
【００２３】
また、本発明は、上記回収コンベヤベルトを備えた構成において、前記回収コンベヤベルトの回収水平部において、前記内コンベヤベルトの幅両端から上端の各々がはみ出すように該上端同士が離間し、かつ下端の各々が前記内コンベヤベルトの幅寸法内に収まるように該下端同士が幅中央方向に接近するよう傾斜状に配置された対をなす回収板を設けた構成としてもよい。
【００２４】
また、本発明は、上記回収コンベヤベルトを備えた構成において、回収板を設けることに代えて、該回収コンベヤベルトを、前記内コンベヤベルトの幅より幅を広くし、かつ前記回収水平部では幅両端から各々幅中央に向かって下方に傾斜させた構成としてもよい。
【００２５】
こうすることで、垂直部や下部水平部において内コンベヤベルトや外コンベヤベルトから漏れ落ちる土砂を、再度内コンベヤベルトに戻して、上部水平部まで搬送して排出することができる。
【００２６】
また、本発明は、上記構成において、搬送経路の一部に、搬送面及び接触面を清掃するための清掃機構を設けた構成としてもよい。こうすることで、外コンベヤベルトと接触する少なくとも内コンベヤベルトとの密着が良好となり、主駆動する外コンベヤベルトに対する駆動ロスが生じることを抑制できる。
【実施例】
【００２７】
上記形態のより具体的な実施例について図１〜図７を用いて説明する。図において、１は、地下で工事中のトンネル抗内から排出された土砂を地上へ排出する垂直コンベヤである。この垂直コンベヤ１は、地下のトンネル坑内で土砂を立坑まで搬送する下部水平部１Ａと、地上に搬送された土砂を所定位置まで搬送する上部水平部１Ｂ、地下と地上とを繋ぐ経路である立坑を搬送する垂直部１Ｃ、本実施例では、垂直部１Ｂや下部水平部１Ａにおいてこぼれる土砂を回収して再度下部水平部１Ａへ戻す回収部１Ｄ、の搬送経路を有している。
【００２８】
２は、下部位置、例えばシールド掘削工法における立坑の地下側に水平に設けた下部水平枠である。３は、上部位置、例えば地上側に水平に設けた上部水平枠である。４は、これら下部水平枠２と上部水平枠３との間に設ける垂直枠である。
【００２９】
これら、下部水平枠２、上部水平枠３、垂直枠４は、各々が連結されて垂直コンベヤ１の全体構造におけるフレームとなる。なお、下部水平枠２、上部水平枠３、垂直枠４は、実際には、工事規模によって適宜調整するため、図示においては、後述する内コンベヤベルト５と外コンベヤベルト６の架設状況が把握できる程度に簡略化して示している。
【００３０】
５は、下部水平枠２、垂直枠４、上部水平枠３に亘って架設され、この順を往路とし、上部水平枠３、垂直枠４、下部水平枠２を復路とする内コンベヤベルトである。内コンベヤベルト５は、上部水平部１Ｂにおける往路から復路へ反転させる位置にはヘッドプーリ５１が設けられ、一方、下部水平部１Ａにおける復路から往路へ反転させる位置にはテールプーリ５２が設けられている。
【００３１】
さらに、内コンベヤベルト５は、下部水平部１Ａ、垂直部１Ｃ、上部水平部１Ｂの各部間の移行位置にはベンドプーリ（参照番号無）が設けられている。なお、スナッププーリ、テンションプーリ、リターンローラ、など、ベルトコンベヤの構成部材は図示を省略すると共に参照番号を付さず、説明も割愛する。
【００３２】
また、内コンベヤベルト５は、復路における下部水平部１Ａで、復路から往路への反転位置の手前、すなわちエンドプーリ５２の復路進行方向の手前には、該復路を下方へ曲折しており、ここを回収部１Ｄにおいて土砂を該内コンベヤベルト５の下部水平部１Ａに戻すための垂直搬送部５ａとしている。
【００３３】
６は、垂直枠４を中心とした下部水平枠２と上部水平枠３の一部の端部位置で内コンベヤベルト５に沿って架設された外コンベヤベルトである。外コンベヤベルト６は、上部水平部１Ｂには往路から復路へ反転させるドライブプーリであるヘッドプーリ６１が駆動部Ｍと共に設けられ、一方、下部水平部１Ａには復路から往路へ反転させるアイドラプーリであるテールプーリ６２が設けられている。
【００３４】
ここで、本発明の垂直コンベヤ１は、全体の搬送駆動源を外コンベヤベルト６の駆動部Ｍのみとした構成である点が特徴の１つである。すなわち、前記駆動部Ｍにより外コンベヤベルト６を駆動し、この外コンベヤベルト６と垂直部１Ｃで密着する内コンベヤベルト５を駆動し、この内コンベヤベルト５と回収部１Ｄの後述する回収垂直部８Ｂで密着する回収コンベヤベルト８を駆動する。
【００３５】
外コンベヤベルト６は、下部水平部１Ａ、垂直部１Ｃ、上部水平部１Ｂの各部間の移行位置にはベンドプーリ（参照番号無）が設けられている。なお、外コンベヤベルト６の表面には該外コンベヤベルトの搬送面と直交する面で形成される区画が設けられているが図示及び説明は割愛する。また、外コンベヤベルト６も、スナッププーリ、テンションプーリ、リターンローラ、などが設けられているが、図示を省略すると共に参照番号を付さず、説明も割愛する。
【００３６】
内コンベヤベルト５と外コンベヤベルト６は、垂直部１Ｃにおいて密着するように設けられており、詳細には下部水平部１Ａにおける垂直部１Ｃの直前で外コンベヤベルト６と内コンベヤベルト５が接触し、垂直部１Ｃを経て、垂直部１Ｃの直後の上部水平部１Ｂにおいて内コンベヤベルト５から外コンベヤベルト６が離間する。
【００３７】
本実施例において、垂直コンベヤ１は、例えば垂直部１Ｃから上部水平部１Ｂに転換する屈曲部位における内コンベヤベルト５の往路搬送面裏面に、密着部７を設けており、この密着部７を有した点も本発明の特徴の１つである。この密着部７は、例えば図２に示すように構成されている。
【００３８】
本例の場合、垂直枠４と上部水平枠３との間に斜面台４ａを設け、この斜面台４ａ上に、該斜面台４ａに対して接近・離間方向に伸長短縮可能な押圧機構７Ａを設け、この押圧機構７Ａ上に応力検出手段としての例えばロードセル７Ｂを配置している。
【００３９】
また、密着部７は、垂直部１Ｃから上部水平部１Ｂに転換する屈曲部位に沿って内コンベヤベルト５の往路搬送裏面全域を支持するために設けた複数のガイドローラ７ａと、前記同屈曲部位に沿って外コンベヤベルト６の往路搬送裏面の両端を支持するために設けた複数のガイドローラ７ｂとからなるガイドローラユニット７Ｃを有している。つまり、内コンベヤベルト５と外コンベヤベルト６とが接触する部位は、実質的に幅方向両端部ということになる。
【００４０】
密着部７は、ロードセル７Ｂがガイドローラユニット７Ｃにおけるガイドローラ７ａの、垂直部１Ｃにおける外コンベヤベルト６の部分的な伸長・短縮に起因した荷重の高低を検知し、不図示の制御部へ検知結果を出力し、制御部が例えば荷重が高くなれば押圧機構７Ａを短縮作動させ、例えば荷重が低くなれば押圧機構７Ａを伸長作動させ、内コンベヤベルト５と外コンベヤベルト６の密着度合を安定させるよう制御する。
【００４１】
本実施例では、上記構成の密着部７を設けることで、外コンベヤベルト６の駆動部Ｍのみであっても、密着度が低くなって内コンベヤベルト５がスリップすることが抑制され、また、密着度が高くなって該駆動部Ｍの異常負荷を生じることが抑制され、垂直コンベヤ１全体を安定して駆動することができる。
【００４２】
８は、下部水平部１Ａにおける内コンベヤベルト５の下方において、垂直部１Ｃから該内コンベヤベルト５の往路と復路の転換部（つまり垂直搬送部５ａ付近）まで搬送する回収水平部８Ａと、該垂直搬送部５ａに沿って下部水平部１Ａにおける内コンベヤベルト５の往路まで搬送する回収垂直部８Ｂとを連続した経路とする回収コンベヤベルトである。この回収コンベヤベルト８の周辺の経路や構成については図３に示す。
【００４３】
９は、内コンベヤベルト５及び外コンベヤベルト６の垂直部を架設する垂直枠４の下方位置かつ下部水平部を架設する下部水平枠２の下方位置に設けられた対をなす回収板であり、本例では垂直枠４の下方位置から内コンベヤベルトの垂直搬送部５ａの直前まで設けられている。この回収板９を設けた構成については図４に示す。
【００４４】
対をなす回収板９は、本例では例えば下部水平枠２の長手方向と直交した幅方向の両端から各々の上端がはみ出すように離間すると共に下端が内コンベヤベルト５の幅寸法内に収まるように該幅中央方向に接近した傾斜状に配置されている。
【００４５】
なお、垂直コンベヤ１は、回収板９を設けることに代えて、図５に示すように、例えば回収コンベヤベルト８を、内コンベヤベルト５の幅より幅を広くし、かつ回収水平部８Ａでは幅両端から各々幅中央に向かって下方に傾斜させることで、下部水平部１Ａ、垂直部１Ｃから漏れる土砂を該回収水平部８Ａにおいて受ける構成としてもよい。
【００４６】
回収垂直部８Ａにおける回収コンベヤベルト８は、垂直搬送部５ａにおける内コンベヤベルト５が架けられたヘッドプーリ８１及びテールプール８２により、垂直搬送部８Ａにおいて該内コンベヤベルト５と密着するようにして構成されている。つまり、回収コンベヤベルト８は、外コンベヤベルト６を駆動する駆動部Ｍによって搬送駆動されていることとなる。
【００４７】
１０は、搬送経路の一部に設けられ、内コンベヤベルト５、搬送面及び接触面を清掃する清掃機構である。この清掃機構１０は、本実施例では、外コンベヤベルト６の復路における垂直部１Ｃを経て往路に反転する直前の下部水平部１Ａに設けた水噴射部１０Ａと、内コンベヤベルト５の往路における外コンベヤベルト６と接触する直前の下部水平部１Ａに設けたスクレーパ１０Ｂを有している。この清掃機構１０に関しては図６，７に示す。
【００４８】
外コンベヤベルト６の復路における垂直部１Ｃを経て往路に反転する直前の下部水平部１Ａに設けた水噴射部１０Ａは、外コンベヤベルト６の幅の両端部に高圧水を噴射して土砂汚れを清掃する。なお、外コンベヤベルト６の搬送面における幅方向両端部を清掃する理由は土砂を載置した状態で内コンベヤベルト５と接触する部位が当該位置となるためである。
【００４９】
内コンベヤベルト５の往路における外コンベヤベルト６と接触する直前の下部水平部１Ａに設けたスクレーパ１０Ｂ，１０Ｂは、搬送面の幅方向中央に互いに接近した端部同士が搬送方向、搬送面の幅方向端部に互いに離間した端部同士が搬送方向と反対側、となるように互いを略ハ字状となるように配置している。スクレーパ１０Ｂ，１０Ｂは、外コンベヤベルト６の移動に相対して、水や搬送面に残留する土砂を、外コンベヤベルト６の幅方向中央へ集めて、幅方向両端部を清掃する。
【００５０】
こうすることで、水噴射機構１０Ａにより外コンベヤベルト６が、スクレーパ１０Ｂにより内コンベヤベルト５が、互いに清掃された状態で下部水平部１Ａにおいて垂直部１Ｃに向かう往路で接触するから、土砂等によるスリップが生じることなく良好な密着状態を維持することができる。
【００５１】
上記構成の垂直コンベヤ１における、内コンベヤベルト５、外コンベヤベルト６、及び回収コンベヤベルト８の動作について説明する。トンネル内から運搬された土砂は内コンベヤベルト５の下部水平部１Ａに排出される。垂直コンベヤ１は、内コンベヤベルト５の下部水平部１Ａの搬送方向途中から、垂直部１Ｃを経て、垂直部１Ｃの直後の上部水平部１Ｂの搬送方向途中で分離するに至るまで外コンベヤベルト６が内コンベヤベルト５に密着した状態で、駆動される。
【００５２】
内コンベヤベルト５及び外コンベヤベルト６の垂直部で挟まれた土砂は、所定の割合でこぼれるが、こぼれた土砂は、回収部１Ｄにおいて回収コンベヤベルト８に設けた本例では回収板９で受けられて、回収コンベヤベルト８の回収水平部８Ａに集められる。回収コンベヤベルト８の回収水平部８Ａで搬送された土砂は、垂直搬送部５ａにおける（内コンベヤベルト５と回収垂直部８Ｂにおける回収コンベヤベルト８に挟まれて内コンベヤベルト５の下部水平部１Ａの搬送面に戻される。
【００５３】
以上のとおり、本発明の垂直コンベヤ１は、１機の外コンベヤベルト６を搬送駆動に用いる駆動部Ｍだけで、内コンベヤベルト５を、また、本実施例においては回収コンベヤベルト８をも搬送駆動するように構成しているので、各コンベヤベルトに用いる駆動部との非同期が生じることがなく、したがって、（インバータ）トリップに起因した垂直コンベヤの停止が発生することがない。
【符号の説明】
【００５４】
１  垂直コンベヤ
１Ａ  下部水平枠
１Ｂ  上部水平枠
１Ｃ  垂直部
１Ｄ  回収部
５  内コンベヤベルト
６  外コンベヤベルト
７  密着部
８  回収コンベヤベルト
９  回収板
１０  清掃機構
【図１】
2020200165.tif 000003
【図２】
2020200165.tif 000004
【図３】
2020200165.tif 000005
【図４】
2020200165.tif 000006
【図５】
2020200165.tif 000007
【図６】
2020200165.tif 000008
【図７】
2020200165.tif 000009